(57)【特許請求の範囲】
【請求項１】
光データネットワークのための送受信器モジュール（１）であり、
該送受信器モジュール（１）が、光伝送路との接続のための光インターフェース（３）と、ホストボード（４）との接続のための電気インターフェース（２）とを有し、
電気インターフェース（２）が、光伝送路に送られるべきペイロードデータ（５）を送受信器モジュール（１）に提供すること、および光伝送路から読み取られるペイロードデータ（１２）をホストボード（４）に提供することに適しており、
光伝送路を監視するための監視手段をさらに有する、送受信器モジュール（１）であって、
送受信器モジュール（１）が、監視手段によって提供された測定データ（２１、２３）を統計的な方法で処理するための解析手段（１４）を有することと、
解析手段（１４）が、処理された測定データ（２５）を電気インターフェース（２）に提供するために電気インターフェース（２）に接続されることと、
解析手段（１４）が、アナログデジタル（＝Ａ／Ｄ）変換ユニット（２２）および処理ユニット（２４）を有し、処理ユニット（２４）が、入力メモリ（２６）、特に平均化操作に適した処理メモリ（２７）、および出力メモリ（２８）を有することとを特徴とする送受信器モジュール（１）。
【請求項２】
電気インターフェース（２）が、双方向に動作する電気バス、特にＩ２Ｃバス（１５）を有することを特徴とする、請求項１に記載の送受信器モジュール（１）。
【請求項３】
監視手段が、光時間領域反射率測定法（＝ＯＴＤＲ）を実行するように構成されることを特徴とする、請求項１に記載の送受信器モジュール（１）。
【請求項４】
請求項１に記載の送受信器モジュール（１）、およびホストボード（４）を有し、送受信器モジュール（１）が、電気インターフェース（２）のみを経由してホストボード（４）に接続される、送受信器装置。
【請求項５】
請求項１に記載の光送受信器モジュール（１）に結合された光伝送路の監視から、測定データを利用可能にするための方法であり、
監視手段が、光伝送路を監視する、前記方法であって、
監視手段によって提供される測定データ（２１、２３）が、依然として光送受信器モジュール（１）内で統計的な方法で処理され、それにより処理された測定データ（２５）を作成することと、処理された測定データ（２５）のみが、光送受信器モジュール（１）の電気インターフェース（２）を経由して出力されることとを特徴とする方法。
【請求項６】
監視手段が測定データ（２１、２３）を処理する間、トレース転送周波数が、大幅に削減されることを特徴とする、請求項５に記載の方法。
【請求項７】
電気インターフェース（２）が、監視パラメータを光送受信器モジュール（１）に提供するためにも用いられることを特徴とする、請求項５に記載の方法。
【請求項８】
電気インターフェース（２）が、双方向に動作する電気バスを有することと、
電気バスの利用可能な周波数範囲の一部が、監視パラメータを光送受信器モジュール（１）および／または処理された測定データに提供するために割り当てられることとを特徴とする、請求項５に記載の方法。
【発明の詳細な説明】
【技術分野】
【０００１】
本発明は、光伝送路との接続のための光インターフェースと、ホストボードとの接続のための電気インターフェースとを有する、光データネットワークのための送受信器モジュールに関し、電気インターフェースが、光伝送路に送られるべきペイロードベータを送受信器モジュールに提供すること、および光伝送路から読み取られるペイロードデータをホストボードに提供することに適しており、送受信器モジュールは、光伝送路を監視するための監視手段をさらに有する。
【０００２】
そのような送受信器モジュールは、本出願の提出後に公開される予定の欧州特許出願公開第０４２９１９９５．１号によって知られている。
【０００３】
デジタルデータを伝送するために、光ネットワークが用いられる。光ネットワークは、光伝送路、特に光ファイバーによってリンクされた光送受信器を有する。
【背景技術】
【０００４】
光送受信器モジュールを備える光送受信器を実施することは一般的である。光送受信器モジュールは、電気インターフェースで受信されたペイロードデータを送る電気信号を、（光伝送路が取り付けられる）光インターフェースに送られる光信号に変換し、かつ光インターフェースで受信された光信号を、電気信号に変換する装置である。ペイロードデータは、受信された電気信号に含まれているかまたは受信された光信号に含まれているかを問わず、送受信器モジュール内の誤差解析または誤差訂正などのペイロードデータの解析なしに単に伝えられる。
【０００５】
送受信器モジュールは、典型的には、送信されるべきデータおよび受信されたデータが処理され解析されるホストボードにリンクされる。
【０００６】
残念ながら、光ファイバーは、欠陥が生じる場合がある。欠陥は、データの損失を招く可能性がある。そのため、光ネットワーク内の光ファイバーの状態は、監視されなければならない。よく知られている監視方法は、ＯＴＤＲ（ｏｐｔｉｃａｌ  ｔｉｍｅ  ｄｏｍａｉｎ  ｒｅｆｌｅｃｔｏｍｅｔｒｙ（光時間領域反射率測定法））である。この方法では、短い光パルスが、光ファイバーに送られ、この光ファイバーを介して伝搬する。光ファイバー内の急な曲がりなどの欠陥箇所で、光パルスの光は、特に強く後方散乱される。パルスの送信から後方散乱光のピークの受信までの時間は、欠陥箇所を示す。
【０００７】
前述の欧州特許出願から、ＯＴＤＲ測定のための設備、特にタップカプラ、光ダイオード、およびＯＴＤＲ信号出力を、光送受信器モジュールに組み込むことが知られている。ＯＴＤＲ信号は、任意の信号解析なしに、ＯＴＤＲ信号出力を経由して送受信器モジュール外部の欠陥検出手段に伝えられる。
【０００８】
光ファイバーの状態について知るためには、この最新技術では、大量のデータが、ＯＴＤＲ信号出力上を転送されなければならない。さらに、光送受信器モジュールの設置は、データインタフェースとＯＴＤＲ信号出力の両方をリンクすることを必要とする。
【特許文献１】欧州特許出願公開第０４２９１９９５．１号明細書
【発明の開示】
【発明が解決しようとする課題】
【０００９】
本発明の目的は、設置がより簡単であり、かつそれを用いることで少量の監視データのみが転送される必要のある、光送受信器モジュールを提供することである。
【課題を解決するための手段】
【００１０】
本発明によれば、本目的は、送受信器モジュールが、監視手段によって提供された測定データを統計的な方法で処理するための解析手段を有することと、その解析手段が、処理された測定データを電気インターフェースに提供するために電気インターフェースに接続されることとを特徴とする、導入部で紹介された送受信器モジュールによって達成される。
【００１１】
本発明の送受信器モジュールを用いて、出力されるべき監視データの量は、削減されることが可能である。解析手段を用いて、測定データは統計的な方法で処理され、この統計的処理の結果のみが、処理された測定データとして出力される。典型的には、この処理は平均化を含む。結果として生じる処理された測定データは、一般に未加工の測定データよりもさらに少量のデータである。解析手段はまた、監視された光ファイバーが動作の準備ができているか否かの明白な情報を提供するように、または光伝送路の状態に関してその他の雑情報を提供するように構成されてもよい。これは、測定データまたは処理された測定データと基準値および／または許容区間との比較によって、実行されることが可能である。発光ダイオードなどの「動作の準備ができているか否か」の表示手段は、送信モジュールのハウジングに設けられてよい。
【００１２】
さらに、処理された測定データは、個別の監視出力またはインターフェースに送られず、処理された測定データが、ペイロードデータにも用いられる電気インターフェースに提供される。本発明によれば、出力されるべき監視データの量はかなり少ないため、電気インターフェースでのペイロードデータの転送容量には有意な損失は存在しない。個別の監視出力またはインターフェースは省かれる。これは、送受信器モジュールの設置、および全体としての本発明の送受信器モジュールの外部設計は簡素化されることを意味する。
【００１３】
ペイロードデータに関する限り、本発明の送受信器モジュール内で、信号解析または統計的処理は行われないことに留意されたい。解析手段は、光ファイバーの状態を点検する監視データを単に処理する。具体的には、ペイロード情報は、本発明の送受信器モジュールによって伝えられるだけである。ペイロードデータに関しては、送受信器モジュールは、単に電気−光変換インターフェースである。
【００１４】
本発明による送受信器モジュールは、典型的には約５ｃｍから８ｃｍの長さ、および約１．５ｃｍから２．５ｃｍの直径を有する。本発明に従って変更されかつ使用されることが可能な、送受信器装置（すなわち、送受信器モジュール）の典型は、ＳＦＦ（スモールフォームファクタ（Ｓｍａｌｌ  Ｆｏｒｍ−Ｆａｃｔｏｒ））モジュール、ＳＦＰ（プラグ接続可能なスモールフォームファクタ（Ｓｍａｌｌ  Ｆｏｒｍ−Ｆａｃｔｏｒ  Ｐｌｕｇｇａｂｌｅ））モジュール、またはＧＢＩＣ（ギガビットインターフェースコンバータ（Ｇｉｇａｂｉｔ  Ｉｎｔｅｒｆａｃｅ  Ｃｏｎｖｅｒｔｅｒ））モジュールである。
【００１５】
本発明の送受信器モジュールを用いて、監視結果、すなわち処理された測定データへの改善されたアクセスが利用可能である。本発明の送受信器モジュールの好ましい実施形態では、電気インターフェースは、双方向に動作する電気バス、特にＩ２Ｃバスを有する。そのようなバスは、承認されたデータ転送手段である。この電気バスを用いて、監視パラメータおよび監視データは、送受信器モジュールとホストボードとの間で容易に交換されることが可能である。
【００１６】
別の好ましい実施形態では、解析手段は、アナログデジタル（＝Ａ／Ｄ）変換ユニットおよび処理ユニットを有する。Ａ／Ｄ変換ユニットは、典型的には光ダイオードからアナログ測定データを受信し、処理を行う処理ユニットにデジタル測定データを提供する。処理ユニットは、典型的には集積回路またはチップとして実施される。
【００１７】
本実施形態の好ましいさらなる展開は、処理ユニットが、入力メモリ、特に平均化操作に適した処理メモリ、および出力メモリを有することを特徴とする。この構成は、測定データのリアルタイム抽出に適している。
【００１８】
本発明の送受信器モジュールの別の好ましい実施形態では、監視手段は、光時間領域反射率測定法（＝ＯＴＤＲ）を実行するように構成される。ＯＴＤＲは、承認された光ファイバー監視方法である。
【００１９】
本発明の範囲には、上記のような本発明の送受信器モジュール、およびホストボードを有する送受信器装置もあり、送受信器モジュールは、電気インターフェースのみを経由してホストボードに接続される。送受信器モジュールは、例えば欠陥の場合に、設置および交換が簡単である。本発明によれば、ホストボードは、送受信器モジュールによって提供された処理された測定データをさらに処理するまたは解析するように構成されてよい。
【００２０】
また本発明の範囲には、上記のように本発明の光送受信器モジュールに結合された光伝送路の監視から測定データを利用可能にする方法もあり、監視手段は光伝送路を監視する。この方法は、監視手段によって提供された測定データは、依然として光送受信器モジュール内で統計的な方法で処理され、それにより処理された測定データを作成することと、処理された測定データのみが、光送受信器モジュールの電気インターフェースを経由して出力されることとを特徴とする。この方法は、データ転送容量を節約する追加的機能性を送受信器モジュールにもたらす。監視データは、より容易にかつより迅速に利用可能にされる。１つの電気インターフェースのみが、すべてのデータ（すなわち、ペイロードデータと監視データ）に用いられるため、データの取扱いは簡素化される。
【００２１】
本発明の方法の有利な変形形態では、監視手段の測定データを処理する間、トレース転送周波数（ｔｒａｃｅ  ｔｒａｎｓｆｅｒ  ｆｒｅｑｕｅｎｃｙ）は、大幅に削減される（ｄｅｃｉｍａｔｅｄ）。本発明によれば、この大幅削減は、平均化によって実現される。例えば、単一パルスのそれぞれ１０のトレースは、合計されて平均化されたトレースを生み出す。トレースは、後方散乱光に対する時間（または距離）の振幅を示す線図である。
【００２２】
本発明の方法の別の有利な変形形態は、電気インターフェースが、やはり監視パラメータを光送受信器モジュールに提供するためにも用いられることを特徴とする。その場合、監視パラメータは、さらなる電気インターフェースの必要なしに、要求に応じて選択されかつ変更されてよい。
【００２３】
本発明の方法の好ましい変形形態は、電気インターフェースが、双方向に動作する電気バスを有することと、電気バスの利用可能な周波数範囲の一部が、監視パラメータを光送受信器モジュールおよび／または処理された測定データに提供するために割り当てられることとを特徴とする。この割当はデータ転送を簡素化する。
【００２４】
さらなる利点は、本説明および添付の図から得ることができる。上記および下記の特徴は、本発明に従って個別にまたは任意の組合せで集合的に用いられてよい。記載された実施形態は、網羅的列挙として理解されるべきではなく、本発明の説明に関する例示的特徴を有する。
【００２５】
本発明は図に示される。
【発明を実施するための最良の形態】
【００２６】
本発明は、光伝送路を監視するための監視手段を有する光送受信器モジュールと、送受信器モジュールの監視手段によって収集された測定データを利用可能にする方法とに関する。
【００２７】
本発明は、依然として光送受信器モジュール内で測定データを統計的な方法で処理し、処理された測定データのみを外部から利用可能にすることを提案する。処理された測定データは、ペイロードデータを取り扱う同じ電気インターフェースを用いて利用可能にされる。具体的には、電気バスが、この目的で電気インターフェースに組み込まれることが可能である。
【００２８】
送受信器モジュールでは、追加的解析手段が組み込まれる。この解析手段は、送受信器モジュールにリンクされた光伝送路の特徴、すなわち、物理的パラメータの決定を可能にする（または決定を助ける）。特徴の決定は、それぞれの光データチャネルに対して個別に行われることが可能である。
【００２９】
解析手段は、光伝送路の特徴の決定に必要な設備のすべてまたは一部を有してよい。一般的には、解析手段それ自体は、粗い解析のみ、具体的には、光ファイバーは動作の準備ができているか否かの判断にのみ適している。解析手段が、光ファイバーの（少なくともいくつかの）特徴の決定に必要な設備の一部のみを有する場合、送受信器モジュールを支えるホストボードに追加的設備が配置される。その場合、ホストボードと送受信器モジュールとの間の相互作用が生じ、光ネットワークの円滑な動作を可能にするために、それらの相互作用は最適化される。
【００３０】
監視測定を実行するためには、測定手順およびシステム要件によって決まる測定の種類を規定するパラメータを交換することが必要になる。すなわち、
物理的パラメータ（パルス幅、振幅変調、周波数範囲など）、
測定の時間期間、平均の数、サンプルの数、
制御信号（例えば、測定の初期化）、
警報信号である。
【００３１】
本発明は、例えば利用可能な周波数範囲の一部を既存のデジタルデータバス内に割り当てることによって、これらパラメータまたはデータを転送する目的で既存の電気バスを使用することを提案する。
【００３２】
図１は、ここではＯＴＤＲ測定の場合、監視機能を動作可能にする本発明の光送受信器モジュール１を概略的に示す。送受信器モジュール１は、電気インターフェース２および光インターフェース３を有し、光伝送路（図示せず）が取り付けられる。電気インターフェースはホストボード４に接続される。
【００３３】
電気インターフェース２を介して、入力ペイロードデータ５は、レーザー駆動および制御ユニット６に提供され、次にこの制御ユニットは、レーザーダイオード７に接続される。レーザーダイオード７は、波長λ１で特定のチャネル光（ｃｈａｎｎｅｌ  ｌｉｇｈｔ）を放出する。この光は、ＷＤＭカプラ８と光タップカプラ９を通過して、光インターフェース３に渡る。他方では、波長λ２の光が、光インターフェース３で受信される。この光は、タップカプラ９を通過し、光ダイオードおよびＴＩＡ（トランスインピーダンス増幅器）（データ）ユニット１０に向けてＷＤＭカプラ８で反射する。光ダイオードおよびＴＩＡ（データ）ユニット１０の信号は、ＬＩＡ（制限増幅器）およびＬＯＳ（信号の損失）検出ユニット１１に送り込まれ、出力ペイロードデータ１２として電気インターフェース２に提供される。
【００３４】
光ファイバーの状態を監視するために、レーザー駆動および制御ユニット６は、やはり波長λ１でのチャネル動作を点検するために、その波長λ１でテストパルスを放出してもよい。波長λ１を有するこの光の一部は、光伝送路内で後方散乱され、したがって光インターフェース３に存在する。この光は、光ダイオードおよびＴＩＡ（ＯＴＤＲ）ユニット１３に向けてタップカプラ９で反射され、光ダイオードおよびＴＩＡ（ＯＴＤＲ）ユニット１３の信号は、解析手段１４に送り込まれる。基本的に、タップカプラ９ならびに光ダイオードおよびＴＩＡ（ＯＴＤＲ）ユニット１３は、光を放出する構成要素およびそれらの制御機構と共に、送受信器装置１内の監視手段を表す。解析手段１４内で、波長λ１の当初のテストパルスおよびその放出時間を考慮に入れて、受信された後方散乱光の信号が分析される（実際、解析手段は、テストパルスの放出を制御する）。この解析の結果は、電気インターフェース２に提供される処理された測定データである。
【００３５】
電気インターフェース２は、双方向に動作する電気制御バス、この場合、典型的には１００ｋＨｚから４００ｋＨｚのクロック速度で動作するＩ２Ｃバス１５を有する。このＩ２Ｃバス１５を経由して、ホストボード４の制御バスマスタユニット１６に、処理された測定データが提供される。制御バスマスタ１６は、やはり解析手段１４に監視処理のための監視パラメータを提供することもできる。Ｉ２Ｃバス１５は、送受信器温度またはレーザー電流などの診断情報を、ホストボード４に転送するようにも構成されている。
【００３６】
図２では、プロセッサ手段またはコントローラ手段として考慮されることも可能な解析手段１４の内部が、さらに詳細に説明される。
【００３７】
光ダイオードおよびＴＩＡ（ＯＴＤＲ）ユニット（図１の参照符号１３）によって供給されたＯＴＤＲ信号２１は、Ａ／Ｄ変換ユニット２２に送り込まれる。次に、それは、処理ユニット２４に送り込まれるデジタル測定データ２３を提供する。処理ユニット２４は、処理された測定データ２５を生成し、この処理された測定データ２５は、電気インターフェース、すなわちその制御バス（図２に図示せず）に送り込まれる。処理ユニット２４は、入力メモリ２６、処理メモリ２７、および出力メモリ２８を有する。
【００３８】
処理ユニット２４は、測定データの高速取得（例えば、毎秒１０のトレース）を、一般に遅い転送データ速度（例えば、毎秒１のトレース）を有する制御バスの特性に適合させるために、トレース転送周波数の大幅削減を可能にする。
【００３９】
ＯＴＤＲデータの取得周波数は、次によって与えられる。すなわち、
例えば単一パルスＯＴＤＲ技術用のバーストモードオペレーティングシステム（ＧＰＯＮ、アップリンク）によって用いられるプロトコル、または
掃引正弦波技術（ｓｗｅｐｔ  ｓｉｎｅ  ｗａｖｅ  ｔｅｃｈｎｉｑｕｅ）用のＩＦフィルタの同調速度によって与えられる。
【００４０】
送受信器モジュールからホストボードへの処理された測定データの読出し周波数は、一般的に診断情報（送受信器温度、レーザー電流など）の転送のために用いられるＩ２Ｃバスのシリアルクロック速度によって与えられる。
【００４１】
図２の例では、５０００サンプルを含むトレースを有し、１トレース当たり１０キロバイトのＯＴＤＲ信号２１が用いられる。デジタル測定データ２３は、１トレース当たり１０キロバイトの容量を有する入力メモリ２６に、毎秒１０のトレースで読み込まれる。プロセッサメモリ２７は、１トレース当たり２０キロバイトの容量で受信データの平均化を実現する。所望の平均数の後（例えば、１００００の平均の後）、結果として生じるデータは、１トレース当たり１０キロバイトの容量を有する出力メモリに読み込まれ、そこから、データはＩ２Ｃバスの使用によってホストボードに転送される。Ｉ２Ｃバスは、１秒当たり１００キロビットのクロック速度で動作する。
【図面の簡単な説明】
【００４２】
【図１】ホストボードに設置された本発明の送受信器モジュールを概略的に示す図である。
【図２】図１の送受信器モジュールの解析手段を概略的に示す図である。
【符号の説明】
【００４３】
１  送受信器モジュール
２  電気インターフェース
３  光インターフェース
４  ホストボード
５、１２  ペイロードデータ
１４  解析手段
１５  Ｉ２Ｃバス
２１、２３  測定データ
２２  アナログデジタル変換ユニット
２４  処理ユニット
２５  処理された測定データ
２６  入力メモリ
２７  処理メモリ
２８  出力メモリ
【図１】
0004806604.tif 000002
【図２】
0004806604.tif 000003